(57)【要約】【課題】  本発明の課題は、気密材が下枠又は床の凹凸に容易に追従して上下動でき、下枠又は床に凹凸があっても下枠又は床との当接圧を略一定にできると共に、障子の開閉をスムーズにできる上吊引戸の提供することである。【解決手段】  本発明の上吊引戸１は、上レール５と、下枠１３と、上レール５に吊り下げられた障子７とを備え、障子７は上レール５を走行する上戸車９と、障子下端１８に上下動自在に設けられて下枠１３又は床と障子７との間の隙間を塞ぐ気密材３５、３６と、障子下端１８に上下動自在に設けられて下枠１３の上面又は床面３７に当接する位置調整部材１５とを有し、位置調整部材１５の上下動に連動して気密材３５、３６が上下動するようにした。【選択図】      図１
2005076358.tif 000002
【特許請求の範囲】
【請求項１】
上レールと、下枠と、上レールに吊り下げられた障子とを備え、障子は上レールを走行する上戸車と、障子下端に上下動自在に設けられて下枠又は床と障子との間の隙間を塞ぐ気密材と、障子下端に上下動自在に設けられて下枠の上面又は床面に当接する位置調整部材とを有し、位置調整部材の上下動に連動して気密材が上下動することを特徴とする上吊引戸。
【請求項２】
気密材はホルダに固定されており、気密材ホルダは、下枠又は床との高さ位置を上下に調整可能に取り付けていることを特徴とする請求項１記載の上吊引戸。
【請求項３】
気密材ホルダは障子下端の見付方向に渡って複数に分割して備えたことを特徴とする請求項１又は２に記載の上吊引戸。
【請求項４】
下枠は障子の走行方向に下レールを備え、下レールは上端が床面と略同じ高さであり、位置調整部材が下レールに嵌合することを特徴とする請求項１〜３の何れか一項に記載の上吊引戸。
【発明の詳細な説明】
【技術分野】
【０００１】
本発明は、上レールに障子を吊り下げて障子の開閉を行う上吊引戸に関するものである。
【背景技術】
【０００２】
特許文献１には、引戸において、障子の下端に上下動自在な気密材を設け、気密材の下端を下枠の上面又は床面に当接させる技術が開示されている。
【０００３】
【特許文献１】実開平４−１１６５９４号公報
【発明の開示】
【発明が解決しようとする課題】
【０００４】
しかし、上述の特許文献１に開示の技術では、下枠又は床に凹凸がある場合には、気密材が下枠又は床の凹凸に追従して上下動し難いという問題がある。また、下枠又は床と気密材との摩擦によって障子の開閉が重くなるという問題がある。
【０００５】
そこで、本発明は、気密材が下枠又は床の凹凸に容易に追従して上下動でき、下枠又は床に凹凸があっても下枠又は床との当接圧を略一定にできると共に、障子の開閉をスムーズにできる上吊引戸の提供を目的とする。
【課題を解決するための手段】
【０００６】
請求項１に記載の発明は、上レールと、下枠と、上レールに吊り下げられた障子とを備え、障子は上レールを走行する上戸車と、障子下端に上下動自在に設けられて下枠又は床と障子との間の隙間を塞ぐ気密材と、障子下端に上下動自在に設けられて下枠の上面又は床面に当接する位置調整部材とを有し、位置調整部材の上下動に連動して気密材が上下動することを特徴とする。
【０００７】
請求項２に記載の発明は、請求項１記載の発明において、気密材はホルダに固定されており、気密材ホルダは、下枠又は床との高さ位置を上下に調整可能に取り付けていることを特徴とする。
【０００８】
請求項３に記載の発明は、請求項１又は２に記載の発明において、気密材ホルダは障子下端の見付方向に渡って複数に分割して備えたことを特徴とする。
【０００９】
請求項４に記載の発明は、請求項１〜３の何れか一項に記載の発明において、下枠は障子の走行方向に下レールを備え、下レールは上端が床面と略同じ高さであり、位置調整部材が下レールに嵌合することを特徴とする。
【発明の効果】
【００１０】
請求項１に記載の発明によれば、気密材が位置調整部材に連動して上下動するので、下枠又は床に障子の走行方向に凹凸がある場合、凹凸に追従して位置調整部材が上下動し、それに伴って気密材が上下動するので、下枠又は床面と気密材との間隔又は当接圧を略一定にできる。これにより、下枠又は床に凹凸がある場合でも気密性を維持できると共に障子の開閉をスムーズにできる。
【００１１】
請求項２に記載の発明によれば、請求項１に記載の発明と同様の効果を奏するとともに、気密材ホルダは下枠又は床との高さ位置を上下に調整することで、下枠又は床面と気密材との間隔又は当接圧を調整でき、障子の開閉を重くしたり軽くしたりできる。
【００１２】
請求項３に記載の発明によれば、請求項１又は２に記載の発明と同様の効果を奏するとともに、気密材ホルダを、障子の見付け方向に渡って複数に分割しているので、下枠の凹凸に対して分割した部分が部分的に追従できる。
【００１３】
請求項４に記載の発明によれば、請求項１〜３の何れか一項に記載の発明と同様の効果を奏するとともに、障子の開閉の際には位置調整部材が下レールに嵌合して走行するので、障子の横振れを防止できる。
【００１４】
また、障子を閉めた状態においても、位置調整部材が下レールに嵌合しているので、室外側から風圧を受けた場合でも、障子の横振れを防止でき、安定した気密性を保持できる。
【００１５】
下レールの上端が床面と略同じ高さに設けられているので、バリアフリーにも対応できる。
【発明を実施するための最良の形態】
【００１６】
以下に、添付図面を参照して本発明の実施の形態を説明する。まず、図１乃至図４を参照して本発明の実施の形態について説明する。図１は図４のＡ―Ａ断面図であり、図１中一点鎖線で抜き出して示す図は、位置調整部材周辺の要部を示す拡大図であり、図２は図４のＢ―Ｂ断面図であり、図３は図４に示す障子の正面図、図４は本発明の実施の形態にかかる上吊引戸の横断面図である。
【００１７】
この実施の形態にかかる上吊引戸１は、玄関に設置されるものであり、天井の上枠３に設けられる上レール５と、上レール５に吊り下げられた障子７と、下枠１３に設けられる下レール２９とからなり、障子７の上部１７に取り付けられた上戸車９が上レール５に沿って走行することで、障子７の開閉を行っている。
【００１８】
障子７は、枠組みした芯材にパネル１１を貼り付けた構成であり、障子７の下端１８には障子７と下枠１３との隙間を塞ぐ気密材３５、３６が障子７の見付け方向全体に渡って設けられている。
【００１９】
障子７は、障子７の下端１８に上下動自在に設けて下枠１３の上面に当接する位置調整部材１５と、位置調整部材１５を保持する保持部材２４と、障子７の下部に固定される固定部材２５とを備え、固定部材２５と保持部材２４との間には、保持部材２４を下枠１３の上面に向けて付勢するばね２７を備えており、保持部材２４は固定部材２５内で上下動自在になっている。尚、位置調整部材１５は、戸車であり、障子７の下端１８に複数個（本実施の形態では４個）設けられている。
【００２０】
保持部材２４には気密材３５、３６を装着した気密材ホルダ３９が取り付けられており、位置調整部材１５の軸と略同じ高さ位置でねじ４０固定されている。そして、位置調整部材１５の上下動に連動して気密材ホルダ３９が上下動するようになっている。
【００２１】
気密材ホルダ３９は、障子７の見付方向に渡って複数に分割して設けられており、位置調整部材１５にねじ４０で固定されている。尚、本実施の形態では、気密材ホルダ３９は障子７の見付け方向に対して３つに分割している。
【００２２】
下枠１３には、障子７の走行軌跡全体に渡って設けられる条状の下レール２９と、気密材受け部３１、３３が設けられている。そして、障子７の下端１８に設けた位置調整部材１５が下レール２９に嵌合して障子７が案内される。尚、下枠１３は略フラット面でありバリアフリーにも対応している。
【００２３】
気密材受け部３１、３３は、室内側の気密材３５を受ける室内側気密材受け部３１と、室外側の気密材３６を受ける室外側気密材受け部３３とからなる。
【００２４】
また、各気密材受け部３１、３３は、横断面略山型形状の小突起であり、室内側に位置する室内側斜面４１と室外側に位置する室外側斜面４３とをそれぞれ有している。
【００２５】
尚、ここで横断面略山型形状とは、上方に向って断面が先細った形状をいい、例えば横断面略三角形状や横断面略半円状のものをいう。
【００２６】
気密材３５、３６は、障子７の見付方向全体に渡って設けられており、下方に向けて弾性変形可能な３本の片４５、４７、４９が垂れ下がっている。気密材３５、３６の３本の片４５、４７、４９のうち、一方の片４５は、気密材受け部３１、３３の室外側斜面４３の上部付近に当接しており、両側の他方の片４７、４９は室内側斜面４１及び室外側斜面４３の下端部近くまで位置している。
【００２７】
下レール２９及び気密材受け部３１、３３の上端は床面３７と略同じ高さに設けられており、特に床面３７から頂部３８までの高さ（図１中（ｈ）で示す）を約３ｍｍ以下としている。
【００２８】
次に、本実施の形態にかかる上吊引戸１の作用について説明する。障子７の開閉時には、上戸車９が上レール５に沿って走行するとともに、障子７の下端に設けた複数の位置調整部材１５が下レール２９に嵌合した状態で移動する。
【００２９】
気密材３５、３６が位置調整部材１５に連動して上下動するので、下枠１３に凹凸があったり、上レール５と下レール６との平行が保てずに相対的な傾斜が生じた場合にも、凹凸や傾斜に追従して位置調整部材１５が上下動し、それに伴って気密材３５、３６が上下動するので、気密材３５、３６と下枠１３との距離又は当接圧を略一定にできる。これにより、下枠１３に凹凸があったり、上レール５と下レール６との平行がずれている場合でも、障子７の開閉がスムーズにできると共に、障子７を閉めた場合においても、気密性を維持できる。
【００３０】
また、位置調整部材１５及び気密材３５、３６を備えた気密材ホルダ３９を、障子７の見付け方向に渡って複数に分割したので、下枠１３の凹凸に対して分割した部分が部分的に追従できる。
【００３１】
ばね２７の付勢力により、位置調整部材１５を下枠１３に押し付けているので、位置調整部材１５と下レール６との嵌合を強くすることができると共に、位置調整部材１５に連動する気密材３５、３６と、下枠１３との間隔又は当接圧を略一定に保つことができる。
【００３２】
障子７の開閉の際には位置調整部材１５が下レール２９に嵌合して走行するので、障子７の横振れを防止できる。また、障子７を閉めた状態においても、位置調整部材１５が下レール２９に嵌合しているので、室外側から風圧を受けた場合でも、障子７の横振れを防止できる。
【００３３】
下レール２９及び各気密材受け部３１、３３の上端が床面３７と略同じ高さに設けられているので、バリアフリーにも対応できる。
【００３４】
障子７の室外側下端及び障子７の室内側下端に、それぞれ気密材３５、３６を取り付けたので、室外側及び室内側の何れの側からの正圧に対しても、気密性をさらに高めることができる。また、位置調整部材１５が気密材３５、３６で隠れるので、見栄えが良い。
【００３５】
本発明は、上述した実施の形態に限らず、本発明の要旨を逸脱しない範囲で種々変形可能である。
【００３６】
気密材ホルダ３９は障子７の見付け方向に対して３つに分割しているが、分割しなくても良く、また分割する場合、数は限定されない。
【００３７】
位置調整部材１５は下レール２９に嵌合し、下レール２９に沿って回転しつつ移動する戸車としたが、これに限定されず、下レール２９を設けずに下枠１３の上面を戸車が移動するようにしても良い。また、位置調整部材１５は、戸車に限定されず、下枠１３の上面に摺接しつつ移動するものであれば良い。
【００３８】
位置調整部材１５と気密材ホルダ３９とは連動して上下動しており、気密材３５、３６の床面からの高さは、それぞれ固定位置にあるが、気密材３５、３６の床面からの高さ位置はそれぞれ任意に変えられるようにしても良い。気密材３５、３６の高さ位置を変える場合は、例えば保持部材２４の側面に長孔を形成し、気密材ホルダ３９のねじの取付位置を上下に変更することで気密材ホルダ３９の高さを調整する。尚、保持部材２４の側面に複数の軸孔を形成し、位置調整部材１５である戸車の軸を取り付ける軸孔の位置を変えることで、保持部材２４からの位置調整部材１５の出寸法を変えることでも気密材３５、３６の高さ位置を変えることができる。
【００３９】
固定部材２５と保持部材２４との間には、保持部材２４を下枠１３の上面に向けて付勢するばね２７を備えたが、ばね２７を設けずに自重のみで位置調整部材１５が上下動するものであっても良い。
【００４０】
気密材３５、３６は、３本の片４５、４７、４９を備えたが、片は１本でも良く、数は限定されない。
【００４１】
上吊引戸１は、玄関に設置されるものに限らず、間仕切りに用いられるものであっても良い。
【００４２】
障子７は、芯材にパネル１１を貼り付けた構成に限らず、パネル１１とパネル１１の周囲に組付けた框とから成る構成であってもよい。
【００４３】
また、上述の実施の形態では、下枠１３に各気密材受け部３１、３３を形成したが、これに限定されず、各気密材受け部３１、３３を床面に直接設けてあっても良い。
【図面の簡単な説明】
【００４４】
【図１】図４のＡ―Ａ断面図であり、図１中一点鎖線で抜き出して示す図は、位置調整部材周辺の要部を示す拡大図である。
【図２】図４のＢ―Ｂ断面図である。
【図３】図４に示す障子の正面図である。
【図４】本発明の実施の形態にかかる上吊引戸の横断面図である。
【符号の説明】
【００４５】
１          上吊引戸
５          上レール
７          障子
９          上戸車
１３        下枠
１５        位置調整部材
２９        下レール
３５、３６  気密材
３７        床面
３９        気密材ホルダ
【図１】
2005076358.tif 000003
【図２】
2005076358.tif 000004
【図３】
2005076358.tif 000005
【図４】
2005076358.tif 000006